(57)【要約】【課題】  物品がそれぞれ収容され、複数の場所に置かれた収容部材における物品の収容状態を多大なコストや手間をかけずに管理する。【解決手段】  収容部材が載置可能な載置面を具備し、該載置面上に収容部材が載置された状態にて、該収容部材に取り付けられたＲＦ−ＩＤメディアから情報を読み出すとともに、収容部材の重量を計測する複数の物品管理部材１−１〜１−ｎと、物品管理部材１−１〜１−ｎとネットワーク６０を介して接続され、物品管理部材１−１〜１−ｎにて計測された収容部材の重量を、該重量を計測した物品管理部材にて読み出された情報によって識別されるＲＦ−ＩＤメディアが取り付けられた収容部材の重量として管理する管理装置５０とから構成する。【選択図】図１
2006056618.tif 000002
【特許請求の範囲】
【請求項１】
物品が収容された収容部材における物品の収容状態をＲＦ−ＩＤメディアを用いて管理する物品管理システムであって、
前記収容部材には、前記ＲＦ−ＩＤメディアが取り付けられ、
前記収容部材が載置可能な載置面を具備し、該載置面上に前記収容部材が載置された状態にて、該収容部材に取り付けられた前記ＲＦ−ＩＤメディアから情報を読み出すとともに、前記収容部材の重量を計測する複数の物品管理部材と、
前記複数の物品管理部材と接続され、前記物品管理部材にて計測された前記収容部材の重量を、該重量を計測した物品管理部材にて読み出された情報によって識別されるＲＦ−ＩＤメディアが取り付けられた収容部材の重量として管理する管理手段とを有する物品管理システム。
【請求項２】
請求項１に記載の物品管理システムにおいて、
前記管理手段は、前記収容部材の基準重量情報を保持しておき、前記物品管理部材にて当該収容部材の重量が計測された場合に、計測された重量と前記基準重量情報とを比較し、比較結果を出力することを特徴とする物品管理システム。
【請求項３】
請求項１または請求項２に記載の物品管理システムにおいて、
前記管理手段は、前記複数の物品管理部材が設置された位置情報を管理しておき、前記収容部材の重量を、該重量を計測した物品管理部材の位置に対応づけて管理することを特徴とする物品管理システム。
【請求項４】
物品が収容された収容部材における物品の収容状態を、当該収容部材に取り付けられたＲＦ−ＩＤメディアを用いて管理する物品管理方法であって、
前記収容部材が載置された物品管理部材の設置位置を取得する処理と、
前記収容部材に取り付けられた前記ＲＦ−ＩＤメディアから情報を読み出す処理と、
前記収容部材の重量を計測する処理と、
前記収容部材の重量を、該重量を計測した物品管理部材にて読み出された情報によって識別されるＲＦ−ＩＤメディアが取り付けられた収容部材の重量として管理する処理とを有する物品管理方法。
【請求項５】
請求項４に記載の物品管理方法において、
前記収容部材の基準重量情報を保持しておく処理と、
前記物品管理部材にて前記収容部材の重量が計測された場合に、計測された重量と前記基準重量情報とを比較し、比較結果を出力する処理とを有することを特徴とする物品管理方法。
【発明の詳細な説明】
【技術分野】
【０００１】
本発明は、物品が収容された収容部材における物品の収容状態を管理する物品管理システム及び物品管理方法に関する。
【背景技術】
【０００２】
近年、非接触型ＩＣタグや非接触型ＩＣラベルといった、非接触状態にて情報の書き込み及び読み出しが可能なＲＦ−ＩＤメディアが、その優れた利便性から様々な用途に用いられている。その中の１つとして、商品にＲＦ−ＩＤメディアを取り付けておくとともに、このＲＦ−ＩＤメディアに書き込まれたシリアル番号を商品名等の商品情報と対応づけて管理しておき、商品の搬送時あるいは販売時に、このＲＦ−ＩＤメディアから情報を読み出したり、ＲＦ−ＩＤメディアに情報を書き込んだりすることによって、商品の搬送あるいは販売管理が行われている。
【０００３】
また、ＲＦ−ＩＤメディアが取り付けられた商品等の基準重量情報を、このＲＦ−ＩＤメディアの識別情報と対応づけて管理しておき、商品等を秤の上に載せて重量を計測した際に、ＲＦ−ＩＤメディアの識別情報を読み出し、計測された重量と、ＲＦ−ＩＤメディアから読み出された識別情報に対応づけられた基準重量情報とを比較し、両者の差が予め決められたしきい値以下であった場合に支払いを開始し、両者の差が予め決められたしきい値を超えている場合にエラーメッセージを出力するセルフチェックカウンタが考えられている（例えば、特許文献１参照。）。この装置を用いれば、秤の上に載せられた商品等の重量が予め決められた基準重量であるかどうかを、商品等に取り付けられたＲＦ−ＩＤメディアを用いて管理することができる。
【特許文献１】特開２００３−５８９４７号公報
【発明の開示】
【発明が解決しようとする課題】
【０００４】
しかしながら、上述したように、ＲＦ−ＩＤメディアが取り付けられた商品等の基準重量情報を、このＲＦ−ＩＤメディアの識別情報と対応づけて管理しておき、商品等を秤の上に載せて重量を計測した際に、ＲＦ−ＩＤメディアの識別情報を読み取り、計測された重量と基準重量情報とを比較することによって、秤の上に載せられた商品等の重量が予め決められた基準重量であるかどうかを管理する装置においては、商品等の重量を計測する度毎に、計測対象となる商品等を秤に載せなければならず、手間がかかってしまうという問題点がある。
【０００５】
また、複数の商品等を収容部材に収容して秤の上に載せて重量を計測する場合、商品等がカタログ等の薄型基材からなるものや、微小物体であると、これら商品等に取り付けられたＲＦ−ＩＤメディアのアンテナどうしの共振により、実際にはＲＦ−ＩＤメディアの機能を活用することが困難となってしまうという問題点がある。これは、商品等の重量を計測せずに、商品等を収容部材に収容して商品等に取り付けられたＲＦ−ＩＤメディアから情報を読み出すことにより、収容部材に収容された商品等の個数を計数する場合においても同様に生じる問題点である。
【０００６】
また、例えば、複数の場所にて商品等のカタログを箱等の収容部材に収容して置いておき、複数の場所毎にカタログの消耗状態を管理することによってマーケティング情報を収集する場合等のように、複数の場所に置かれた収容部材の重量を計測することによりその収容状態を管理する場合、収容部材が置かれた場所毎に装置を設置しなければならず、多大なコストがかかってしまうという問題点がある。
【０００７】
本発明は、上述したような従来の技術が有する問題点に鑑みてなされたものであって、物品がそれぞれ収容され、複数の場所に置かれた収容部材における物品の収容状態を多大なコストや手間をかけずに管理することができる物品管理システム及び物品管理方法を提供することを目的とする。
【課題を解決するための手段】
【０００８】
上記目的を達成するために本発明は、
物品が収容された収容部材における物品の収容状態をＲＦ−ＩＤメディアを用いて管理する物品管理システムであって、
前記収容部材には、前記ＲＦ−ＩＤメディアが取り付けられ、
前記収容部材が載置可能な載置面を具備し、該載置面上に前記収容部材が載置された状態にて、該収容部材に取り付けられた前記ＲＦ−ＩＤメディアから情報を読み出すとともに、前記収容部材の重量を計測する複数の物品管理部材と、
前記複数の物品管理部材と接続され、前記物品管理部材にて計測された前記収容部材の重量を、該重量を計測した物品管理部材にて読み出された情報によって識別されるＲＦ−ＩＤメディアが取り付けられた収容部材の重量として管理する管理手段とを有する。
【０００９】
また、前記管理手段は、前記収容部材の基準重量情報を保持しておき、前記物品管理部材にて当該収容部材の重量が計測された場合に、計測された重量と前記基準重量情報とを比較し、比較結果を出力することを特徴とする。
【００１０】
また、前記管理手段は、前記複数の物品管理部材が設置された位置情報を管理しておき、前記収容部材の重量を、該重量を計測した物品管理部材の位置に対応づけて管理することを特徴とする。
【００１１】
また、物品が収容された収容部材における物品の収容状態を、当該収容部材に取り付けられたＲＦ−ＩＤメディアを用いて管理する物品管理方法であって、
前記収容部材が載置された物品管理部材の設置位置を取得する処理と、
前記収容部材に取り付けられた前記ＲＦ−ＩＤメディアから情報を読み出す処理と、
前記収容部材の重量を計測する処理と、
前記収容部材の重量を、該重量を計測した物品管理部材にて読み出された情報によって識別されるＲＦ−ＩＤメディアが取り付けられた収容部材の重量として管理する処理とを有する。
【００１２】
また、前記収容部材の基準重量情報を保持しておく処理と、
前記物品管理部材にて前記収容部材の重量が計測された場合に、計測された重量と前記基準重量情報とを比較し、比較結果を出力する処理とを有することを特徴とする。
【００１３】
上記のように構成された本発明においては、物品が収容された収容部材は、複数の物品管理部材の載置面にそれぞれ載置されている。この状態において、収容部材に取り付けられたＲＦ−ＩＤメディアから情報が読み出されるとともに収容部材の重量が計測される。ＲＦ−ＩＤメディアから読み出された情報と、計測された収容部材の重量とは、各物品管理部材から管理手段に通知され、管理手段において、物品管理部材にて計測された収容部材の重量が、この重量を計測した物品管理部材にて読み出された情報によって識別されるＲＦ−ＩＤメディアが取り付けられた収容部材の重量として管理される。
【００１４】
このように、物品が収容された収容部材が物品管理部材の載置面に載置された状態にて収容部材の重量が計測されるので、複数の収容部材の重量を計測する場合であっても、複数の収容部材がそれぞれ物品管理部材の載置面に載置されているだけで手間をかけずにその重量を計測することができる。
【００１５】
また、複数の物品管理部材にて計測された収容部材の重量と、収容部材に取り付けられたＲＦ−ＩＤメディアから読み出された情報とが管理手段に通知され、管理手段において、物品管理手段から通知された情報を用いて、収容部材の重量が認識され、それにより収容部材における物品の収容状態が管理されるので、物品が収容された収容部材を複数の場所に設置する場合であっても、多大なコストがかかることはない。
【発明の効果】
【００１６】
以上説明したように本発明においては、物品が収容された収容部材が物品管理部材の載置面に載置された状態にて収容部材の重量が計測されるとともに、収容部材に取り付けられたＲＦ−ＩＤメディアから情報が読み出され、これらの情報が管理手段に通知され、管理手段において、収容部材毎に、重量が認識されて物品の収容状態が管理される構成としたため、物品がそれぞれ収容され、複数の場所に置かれた収容部材における物品の収容状態を多大なコストや手間とかけずに管理することができる。また、カタログ等の薄型基材からなるものや、微小物体についても、これらを収容部材に収容するとともに、この収容部材に収容された物品の名称や管理コード等を管理しておくことにより、収容部材における物品の収容状態を管理することができる。
【００１７】
また、管理手段において、収容部材の基準重量情報を保持しておき、物品管理部材にてこの収容部材の重量が計測された場合に、計測された重量と基準重量情報とを比較し、比較結果を出力するものにおいては、収容部材に収容された物品の消耗状態を管理することができる。
【００１８】
また、管理手段において、複数の物品管理部材が設置された位置情報を管理しておき、収容部材の重量を、この重量を計測した物品管理部材の位置に対応づけて管理するものにおいては、物品の消耗状態を、物品管理部材が設置された場所毎に管理することができる。
【発明を実施するための最良の形態】
【００１９】
以下に、本発明の実施の形態について図面を参照して説明する。
【００２０】
図１は、本発明の物品管理システムの実施の一形態を示す図である。
【００２１】
本形態は図１に示すように、カタログ等の物品が収容されたカタログボックス等の収容部材が載置可能な載置面を具備し、載置面上に収容部材が載置された状態にて、収容部材に取り付けられたＲＦ−ＩＤメディアから情報を読み出すとともに、収容部材の重量を計測する複数の物品管理部材１−１〜１−ｎと、電話回線等のネットワーク６０を介して物品管理部材１−１〜１−ｎと接続され、物品管理部材１−１〜１−ｎの設置位置を管理しておき、物品管理部材１−１〜１−ｎにて計測された収容部材の重量を、この重量を計測した物品管理部材にて読み出された情報によって識別されるＲＦ−ＩＤメディアが取り付けられた収容部材の重量として管理する管理装置５０とから構成されている。
【００２２】
また、管理装置５０は、物品管理部材１−１〜１−ｎが設置された位置情報を設置位置情報データベース５５として管理する物品管理部材管理部５４と、物品がどの収容部材に収容されているかを、物品を示す情報と収容部材に取り付けられたＲＦ−ＩＤメディアのシリアル番号とを対応づけることにより物品情報データベース５６として管理する物品管理部５３と、物品管理部材１−１〜１−ｎ上に載置された収容部材の重量が物品管理部材１−１〜１−ｎにて計測された場合に、物品管理部材１−１〜１−ｎ上に載置された収容部材毎にその重量を重量情報データベース５７として管理する重量管理部５１と、物品管理部材１−１〜１−ｎにて計測された収容部材の重量とこの収容部材の基準重量として基準重量情報データベース５８に登録された重量とを比較する重量比較部５２と、重量管理部５１にて管理される重量や重量比較部５２における比較結果を出力する情報出力部５９とから構成されている。
【００２３】
図２は、図１に示した物品管理部材１−１の一構成例を示す図であり、（ａ）は外観斜視図、（ｂ）は内部構造を示す図である。なお、図１に示した物品管理部材１−２〜１−ｎの構成もこれと同様である。
【００２４】
本形態における物品管理部材１−１は図２に示すように、物品が収容された収容部材が載置可能な載置面を有する板状筐体１０の表面に、この板状筐体１０上に載置された収容部材の重量を計測するための重量センサ３０が取り付けられているとともに、板状筐体１０内にアンテナ基板２０がビス等（不図示）によって取り付けられて構成されている。このアンテナ基板２０には、ＲＦ−ＩＤメディアと共振することによりＲＦ−ＩＤメディアから情報を読み出すためのコイル状のアンテナ２１が形成されている。
【００２５】
また、板状筐体１０の内部には、アンテナ２１を介してのＲＦ−ＩＤメディアからの情報の読み出しを制御するとともに、重量センサ３０にて計測された重量を認識するための制御基板４０が取り付けられており、制御基板４０には、アンテナ２１を介してＲＦ−ＩＤメディアから情報を読み出す情報読出部４２と、重量センサ３０にて計測された重量を認識する重量認識部４２と、外部に設けられたパソコン等の制御機器との通信を制御したり、制御基板４０への電源供給を制御したりする制御部４３とが設けられている。
【００２６】
図３は、図１及び図２に示した物品管理部材１−１〜１−ｎ上に載置されるカタログボックスの構造例を示す図である。
【００２７】
図３に示すように、物品管理部材１−１〜１−ｎ上に載置されるカタログボックス４は、開口部からカタログを収容可能に構成され、物品管理部材１−１〜１−ｎへの載置面にはＲＦ−ＩＤメディアである非接触型ＩＣラベル５が貼付され、また、物品管理部材１−１〜１−ｎ上に載置された場合に手前側となる面にはバーコード情報６が記載されている。なお、非接触型ＩＣラベル５をカタログボックス４に貼付する位置はカタログボックス４の内側面であってもよく、また、ＲＦ−ＩＤメディアとして非接触型ＩＣラベル５をカタログボックス４に貼付するのではなく、ＲＦ−ＩＤメディアをカタログボックス４自体に組み込んだり、フィルムケース等によってカタログボックス４に挿入部を設けてそこに収納したりしてもよい。
【００２８】
以下に、上述した物品管理部材１−１〜１−ｎ上に載置されたカタログボックス４に収容されたカタログ及びカタログボックス４におけるカタログの収容状態を管理する方法について説明する。
【００２９】
図４は、図１に示した物品管理システムにおける物品管理方法を説明するための図である。なお、以下に示す例においては、４つの物品管理部材１−１〜１−４を用いた物品管理方法を説明する。
【００３０】
まず、物品管理部材１−１〜１−４の設置位置が管理装置５０にそれぞれ入力され、物品管理部材管理部５４において、物品管理部材１−１〜１−４の設置位置が設置位置情報データベース５５に登録される。物品管理部材１−１〜１−４には、物品管理部材１−１〜１−４を識別可能な識別情報が予め付与されており、その識別情報とこの識別情報によって識別される物品管理部材１−１〜１−４の設置位置が対応づけて設置位置情報データベース５５に登録されることになる。なお、この識別情報は、物品管理部材１−１〜１−４にて非接触型ＩＣラベル５から読み出されたシリアル番号や計測されたカタログボックス４の重量情報が物品管理部材１−１〜１−４からネットワーク６０を介して管理装置５０に送信されてくる際に、これらの情報とともに物品管理部材１−１〜１−４から送信されてくるものである。また、この識別情報として、物品管理部材１−１〜１−４のそれぞれにＩＰアドレスを設定しておけば、物品管理部材管理部５４において、物品管理部材１−１〜１−４の設置位置がＩＰアドレスを用いて管理されることになり、それにより、物品管理部材１−１〜１−４の設置位置をイントラネットやエクストラネット上で管理することができる。
【００３１】
また、カタログボックス４に収容されるカタログ２のカタログ名が管理装置５０に入力されるとともに、カタログボックス４に記載されたバーコード情報６が管理装置５０のバーコードリーダ（不図示）にて読み取られ、さらに、カタログボックス４に貼付された非接触型ＩＣラベル５のシリアル番号が管理装置５０の情報読取装置にて読み取られ、物品管理部５３において、カタログボックス４に収容されるカタログ２のカタログ名と、カタログボックス４に記載されたバーコード情報６と、このバーコード情報６が記載されたカタログボックス４に貼付された非接触型ＩＣラベル５のシリアル番号とが対応づけて物品情報データベース５６に登録される。これにより、カタログがどのカタログボックスに収容されているかが管理されることになる。
【００３２】
一方、物品管理部材１−１〜１−４においては、物品管理部材１−１〜１−４上に載置されたカタログボックス４に貼付された非接触型ＩＣラベル５から情報が読み出されるとともに、カタログボックス４の重量が計測されている。
【００３３】
物品管理部材１−１〜１−４のそれぞれにおいては、制御部４３における制御によって、アンテナ２１に電流が供給され、それにより、情報読出部４１において、物品管理部材１−１〜１−４上に載置されたカタログボックス４に貼付された非接触型ＩＣラベル５からアンテナ２１を介してシリアル番号が読み出される。また、重量センサ３０によって、物品管理部材１−１〜１−４上に載置されたカタログボックス４の重量が計測され、重量認識部４２にて計測された重量が認識される。
【００３４】
物品管理部材１−１〜１−４の制御部４３においては、情報読出部４１にて非接触型ＩＣラベル５から読み出されたシリアル番号と、重量認識部４２にて認識された重量とが、上述した物品管理部材１−１〜１−４を識別するための識別情報とともにネットワーク６０を介して管理装置５０に送信される。また、物品管理部材１−１〜１−４の制御部４３にＧＰＳ機能を搭載しておき、このＧＰＳ機能によって取得された位置情報を、情報読出部４１にて非接触型ＩＣラベル５から読み出されたシリアル番号と、重量認識部４２にて認識された重量とともに物品管理部材１−１〜１−４から管理装置５０に送信することや、物品管理部材１−１〜１−４の制御部４３に物品管理部材１−１〜１−４の設置位置情報を予め登録しておき、この情報を、情報読出部４１にて非接触型ＩＣラベル５から読み出されたシリアル番号と、重量認識部４２にて認識された重量とともに物品管理部材１−１〜１−４から管理装置５０に送信することも考えられ、その場合、物品管理部材１−１〜１−４を識別するための識別情報を物品管理部材１−１〜１−４から管理装置５０に送信する必要はない。
【００３５】
すると、管理装置５０においては、まず、物品管理部材管理部５４にて管理されている設置位置情報データベース５５が参照され、物品管理部材１−１〜１−４から送信されてきた識別情報によって、物品管理部材１−１〜１−４の設置位置が認識され、次に、物品管理部５３にて管理されている物品情報データベース５６が参照され、物品管理部材１−１〜１−４から送信されてきたシリアル番号によって、どのカタログに関する情報であるかが認識される。これにより、管理しているカタログがどの場所に置かれているかを管理することができる。
【００３６】
また、管理装置５０においては、重量管理部５１において、物品管理部材１−１〜１−４から送信されてきた識別番号、シリアル番号及び重量によって、物品管理部材１−１〜１−４のそれぞれについて、その識別情報と、物品管理部材１−１〜１−４上に載置されたカタログボックス４に貼付された非接触型ＩＣラベル５のシリアル番号と、そのカタログボックス４の重量とが対応づけて重量情報データベース５７に登録されて管理される。これにより、カタログボックス４がどの物品管理部材１−１〜１−４上に載置され、その重量がどのくらいであるかを管理することができる。また、この際、重量管理部５１においては、上述したカタログボックス４の重量が初めて重量情報データベース５７に登録される場合、その重量が、カタログボックス４に貼付された非接触型ＩＣラベル５のシリアル番号と対応づけてカタログボックス４の基準重量として基準重量情報データベース５８に登録される。なお、この基準重量情報データベースへの重量の登録は、カタログボックス４の重量が初めて重量情報データベース５７に登録される場合以外であっても、例えば、一日毎あるいは一週間毎といった予め決められたタイミングや任意のタイミングで行うことも考えられる。
【００３７】
その後、物品管理部材１−１〜１−４においては、上述したような、物品管理部材１−１〜１−４上に載置されたカタログボックス４に貼付された非接触型ＩＣラベル５からシリアル情報が読み出されるとともに、カタログボックス４の重量が計測される処理が定期的に行われ、非接触型ＩＣラベル５から読み出されたシリアル番号と、計測された重量とが、物品管理部材１−１〜１−４を識別するための識別情報とともにネットワーク６０を介して管理装置５０に送信される。
【００３８】
これにより、管理装置５０においては、管理しているカタログがどの場所に置かれており、その重量がどのくらいであるかを定期的に認識することができる。例えば、物品管理部材１−１上に載置されていたカタログボックス４が、物品管理部材１−２上に移動した場合であっても、その後、物品管理部材１−２から管理装置５０に送信されてくる、カタログボックス４に貼付された非接触型ＩＣラベル５のシリアル番号と物品管理部材１−２の識別情報とによって、そのカタログボックス４が物品管理部材１−２上に載置されていることを認識することができる。
【００３９】
このように管理装置５０にて管理される情報は、情報出力部５９にて出力することができる。その場合、重量管理部５１において、設置位置情報データベース５５が参照され、物品管理部材１−１〜１−４から送信されてきた物品管理部材１−１〜１−４の識別情報に基づいて物品管理部材１−１〜１−４の設置位置が認識され、また、物品情報データベース５６が参照され、物品管理部材１−１〜１−４から送信されてきた非接触型ＩＣラベル５のシリアル番号に基づいてカタログ名が認識され、カタログ名と、そのカタログ２が収容されたカタログボックス４が載置された物品管理部材が設置された位置と、カタログボックス４の重量とが情報出力部５９にて出力されることになる。
【００４０】
また、その際、重量比較部５２において、物品管理部材１−１〜１−４から送信されてきた重量と、基準重量情報データベース５８に登録された基準重量とが比較され、比較結果が情報出力部５９から出力される。具体的には、物品管理部材１−１〜１−４から管理装置５０にカタログボックス４の重量が送信されてくると、重量比較部５２において、基準重量情報データベース５８が参照され、この重量とともに物品管理部材１−１〜１−４から送信されてきたシリアル番号に対応づけて登録された基準重量が検索され、検索された基準重量と物品管理部材１−１〜１−４から送信されてきた重量とが比較される。そして、両者の差が予め決められた値よりも大きくなった場合、そのカタログボックス４に収容されたカタログ２の名称及びカタログボックス４が載置された物品管理部材の設置位置が情報出力部５９から出力され、それにより、カタログボックス４にカタログ２を補充する旨が通知されることになる。
【００４１】
また、上述した重量比較部５２における比較結果を用いて、カタログボックス４に収容されたカタログ２の消耗状態をカタログ２の種類毎あるいはカタログボックス４の設置位置毎に管理することも考えられる。具体的には、上述したように、カタログが収容されたカタログボックス４については、収容されたカタログの名称、設置位置及びその重量が管理されているため、上述した処理を行うことにより、どの種類のカタログが、あるいはどの位置に置かれたカタログが多く消耗しているかを管理することができる。
【００４２】
（他の実施の形態）
図５〜図７は、図１に示した物品管理部材１−１の他の構成例を示す図である。
【００４３】
図５に示すものにおいては、図２に示したものに対して、複数のアンテナ１２１−１〜１２１−３及びこれに対応する位置に複数の重量センサ１３０−１〜１３０−３が設けられている点のみが異なるものである。
【００４４】
このように構成された物品管理部材においては、１つの物品管理部材上に複数のカタログボックス４を載置することができる。なお、本例のように、１つの物品管理部材に複数のアンテナ１２１−１〜１２１−３及び重量センサ１３０−１〜１３０−３を設けた場合は、物品管理部材上のどこにカタログボックス４が載置されているかを判断するために、物品管理部材上に載置されたカタログボックス４に貼付された非接触型ＩＣラベル５のシリアル番号とカタログボックス４の重量とを物品管理部材の識別情報とともに管理装置５０に送信する際に、複数のアンテナ１２１−１〜１２１−３及び重量センサ１３０−１〜１３０−３をそれぞれ識別可能な情報を付与しておく必要がある。
【００４５】
また、図６に示したものにおいては、図２に示したものに対して、アンテナ２２１と重量センサ２３０とが異なる面に設けられている点のみが異なるものである。
【００４６】
このように構成された物品管理部材上に載置されるカタログボックスは、物品管理部材上に載置された場合にアンテナ２２１に対向する領域に非接触型ＩＣラベルが貼付されている必要がある。
【００４７】
また、図７に示したものにおいては、図６に示したものに対して、２つのアンテナ３２１−１〜３２１−２が設けられている点のみが異なるものである。
【００４８】
このように構成された物品管理部材は、例えば、幅が狭いカタログボックス等の収容部材が物品管理部材上に載置される場合に用いられることが考えられるが、その場合においては、収容部材の重量は、物品管理部材上に載置された全ての収容部材の重量の合計値として管理装置に送信されることになる。
【００４９】
なお、上述した実施の形態においては、収容部材としてカタログ２が収容されたカタログボックス４を例に挙げて説明したが、物品が収容される収容部材としては、物品管理部材１−１〜１−ｎに載置された場合に、物品管理部材１−１〜１−ｎに設けられたアンテナに対向する領域に非接触型ＩＣラベル５が貼付され、内部に物品が収容可能なものであればカタログボックス４に限らず、また、内部に収容される物品もカタログ２に限らない。
【図面の簡単な説明】
【００５０】
【図１】本発明の物品管理システムの実施の一形態を示す図である。
【図２】図１に示した物品管理部材の一構成例を示す図であり、（ａ）は外観斜視図、（ｂ）は内部構造を示す図である。
【図３】図１及び図２に示した物品管理部材上に載置されるカタログボックスの構造例を示す図である。
【図４】図１に示した物品管理システムにおける物品管理方法を説明するための図である。
【図５】図１に示した物品管理部材の他の構成例を示す図である。
【図６】図１に示した物品管理部材の他の構成例を示す図である。
【図７】図１に示した物品管理部材の他の構成例を示す図である。
【符号の説明】
【００５１】
１−１〜１−ｎ    物品管理部材
２    カタログ
４    カタログボックス
５    非接触型ＩＣラベル
６    バーコード情報
１０，１１０，２１０ａ，２１０ｂ，３１０ａ，３１０ｂ    板状筐体
２０    アンテナ基板
２１，１２１−１〜１２１−３，２２１，３２１−１，３２１−２    アンテナ
３０，１３０−１〜１３０−３，２３０，３３０    重量センサ
４０    制御基板
４１    情報読出部
４２    重量認識部
４３    制御部
５０    管理装置
５１    重量管理部
５２    重量比較部
５３    物品管理部
５４    物品管理部材管理部
５５    設置位置情報データベース
５６    物品情報データベース
５７    重量情報データベース
５８    基準重量情報データベース
５９    情報出力部
６０    ネットワーク
【図１】
2006056618.tif 000003
【図２】
2006056618.tif 000004
【図３】
2006056618.tif 000005
【図４】
2006056618.tif 000006
【図５】
2006056618.tif 000007
【図６】
2006056618.tif 000008
【図７】
2006056618.tif 000009